(57)【要約】【課題】捕集した室内吸込空気の埃を容易に除去することが可能な熱交換機器および熱交換機器用フィルターを提供することを目的とする。【解決手段】室内吸込口３から前記熱交換素子１３の間において前記室内吸込口３の直後にフィルター１６とフィルター１６を機体７に取り付ける取付部１７を設けたことにより、１ヶ所のフィルター１６を掃除するだけで、複数個の熱交換素子１３の埃の付着とそれによる目づまりを防止することができ、かつ、埃が機体７内に拡散する前に捕集することができる熱交換機器および熱交換機器用フィルターを提供できる。【選択図】図１
2008249290.tif 000002
【特許請求の範囲】
【請求項１】
室内の空気を吸い込む室内吸込口と前記室内に空気を吹き出す室内吹出口と、屋外の空気を吸い込む屋外吸込口と前記屋外に排出する屋外吹出口とを側面に設けた箱状の機体に、前記機体の中央部内に排気用羽根と給気用羽根を電動機に装着し、前記排気用羽根の外側に排気用ファンケーシングと、前記給気用羽根の外側に給気用ファンケーシングとを設け、熱交換素子を前記排気用ファンケーシングおよび前記給気用ファンケーシングの外周部に複数個配置し、前記屋外吸込口から前記熱交換素子と前記給気用羽根を通じ前記室内吹出口に連通する給気風路と、前記室内吸込口から前記熱交換素子と前記排気用羽根を通じ前記屋外吹出口に連通する排気風路を設けた熱交換機器において、前記室内吸込口から前記熱交換素子の間において室内吸込口の直後にフィルターと前記フィルターを機体に取り付ける取付部を設けたことを特徴とする熱交換機器および熱交換機器用フィルター。
【請求項２】
フィルターを補強部と網目部とで構成したことを特徴とする請求項１記載の熱交換機器および熱交換機器用フィルター。
【請求項３】
フィルターの補強部を、弾性をもたせた材料としたことを特徴とする請求項１記載の熱交換機器および熱交換機器用フィルター。
【請求項４】
フィルターを、相対する２つの側面部とその間に１つの正面部と１つの底面部を有したことを特徴とする請求項１記載の熱交換機器および熱交換機器用フィルター。
【請求項５】
フィルターに、取手部を設けたことを特徴とする請求項１記載の熱交換機器および熱交換機器用フィルター。
【請求項６】
フィルターの周囲に、シートを巻きつけたことを特徴とする請求項１記載の熱交換機器および熱交換機器用フィルター。
【請求項７】
フィルターの周囲に、パッキンを貼り付けたことを特徴とする請求項１記載の熱交換機器および熱交換機器用フィルター。
【請求項８】
取付部を、フィルターを誘導し固定するフィルターガイドを設けたことを特徴とする請求項１記載の熱交換機器および熱交換機器用フィルター。
【請求項９】
取付部を、フィルターの周囲に沿った形状としたことを特徴とする請求項１記載の熱交換機器および熱交換機器用フィルター。
【請求項１０】
取付部を、フィルターが挿入する端面に傾斜部を設けたことを特徴とする請求項１記載の熱交換機器および熱交換機器用フィルター。
【請求項１１】
取付部の内面に、パッキンを貼り付けたことを特徴とする請求項１記載の熱交換機器および熱交換機器用フィルター。
【発明の詳細な説明】
【技術分野】
【０００１】
本発明は、室内換気を室内空気と屋外空気をファンモータによる送風と熱交換素子による熱交換によって、省エネルギーでおこなうにあたり、屋外からの給気と室内からの排気をダクトを介して行う熱交換機器において、熱交換機器に吸込まれる室内空気の埃を捕集する技術に関する。
【背景技術】
【０００２】
熱交換機器および熱交換機器用フィルターの従来例として図９〜図１０を参照しながら説明する。
【０００３】
図９および図１０に示すように、本体１１８は下面に点検用カバー１０１を、側面に室内の空気１１６を吸い込む室内吸込口１０２と室内に空気を吹き出す室内吹出口１０３と、屋外の空気１１７を吸い込む屋外吸込口１０４と屋外に排出する屋外吹出口１０５を有し、また、中央部内に排気用羽根１０６と給気用羽根１０７を電動機１０８に装着し、前記排気用羽根１０６の外側に排気用ファンケーシング１０９と、前記給気用羽根１０７の外側に給気用ファンケーシング１１０とを設け、排気用フィルター１１１および給気用フィルター１１２を付帯させた熱交換素子１１３を前記排気用ファンケーシング１０９および前記給気用ファンケーシング１１０の外周部に複数個配置し、前記屋外吸込口１０４から前記給気用フィルター１１２と前記熱交換素子１１３と前記給気用羽根１０７を通じ前記室内吹出口１０３に連通する給気風路１１４と、前記室内吸込口１０２から前期排気用フィルター１１１と前記熱交換素子１１３と前記排気用羽根１０６を通じ前記屋外吹出口１０５に連通する排気風路１１５を設けた構成となっている（例えば、特許文献１参照）。
【０００４】
この動作については図９および図１０に示すように、前記室内吸込口１０２から吸込まれた前記室内の空気１１６は、前記排気用フィルター１１１により埃が捕集された後、前記熱交換素子１１３を通過して熱交換をおこない、前記排気用羽根１０６により前記屋外吹出口１０５から排気空気として排気される。一方、前記屋外吸込口１０４から吸込まれた前記屋外の空気１１７は、前記給気用フィルター１１２により埃が捕集された後、前記熱交換素子１１３を通過して熱交換をおこない、前記給気用羽根１０７により前記室内吹出口１０３から給気空気として給気される。
【０００５】
そして、前記給気用フィルター１１２により捕集された前記屋外の空気１１７の埃は前記本体１１８の前記点検カバー１０１を外し、前記給気用フィルター１１２と前記排気用フィルター１１１が付帯した複数個の前記熱交換素子１１３を前記本体１１８内部に装着したまま下面から除去される。一方、前記排気用フィルター１１１により捕集された前記室内の空気１１６の埃は前記本体１１８の前記点検カバー１０１を外し、前記給気用フィルター１１２と前記排気用フィルター１１１が付帯した複数個の前記熱交換素子１１３を前記本体１１８外部へ取り出した後に除去される。
【特許文献１】特開２００６−３４９２２３号公報
【発明の開示】
【発明が解決しようとする課題】
【０００６】
このような従来の熱交換機器と熱交換機器用フィルターのように排気用フィルターが熱交換素子に付帯された状態では、排気用フィルターで捕集された室内吸込空気の埃を除去する際に複数個の熱交換素子を全て本体外部へ取り出さなくてはならないという課題と同時に、熱交換機器の薄型化かつコンパクト化のため、熱交換機器内部に通風抵抗を小さくしながら排気用フィルターを設置できるスペースが少ないという課題がある。
【０００７】
本発明は、このような従来の課題を解決するものであり、捕集した室内吸込空気の埃を容易に除去することができ、また、通風抵抗を小さくすることが可能な熱交換機器および熱交換機器用フィルターを提供することを目的とする。
【課題を解決するための手段】
【０００８】
本発明の熱交換機器および熱交換機器用フィルターは、上記目的を達成するために、室内の空気を吸い込む室内吸込口と前記室内に空気を吹き出す室内吹出口と、屋外の空気を吸い込む屋外吸込口と前記屋外に排出する屋外吹出口とを側面に設けた箱状の機体に、前記機体の中央部内に排気用羽根と給気用羽根を電動機に装着し、前記排気用羽根の外側に排気用ファンケーシングと、前記給気用羽根の外側に給気用ファンケーシングとを設け、熱交換素子を前記排気用ファンケーシングおよび前記給気用ファンケーシングの外周部に複数個配置し、前記屋外吸込口から前記熱交換素子と前記給気用羽根を通じ前記室内吹出口に連通する給気風路と、前記室内吸込口から前記熱交換素子と前記排気用羽根を通じ前記屋外吹出口に連通する排気風路を設けた熱交換機器において、前記室内吸込口から前記熱交換素子の間において前記室内吸込口の直後にフィルターと前記フィルターを機体に取り付ける取付部を設けたものである。
【０００９】
また、他の手段は、フィルターを補強部と網目部とで構成したものである。
【００１０】
また、他の手段は、フィルターの補強部を、弾性をもたせた材料としたものである。
【００１１】
また、他の手段は、フィルターを、相対する２つの側面部とその間に１つの正面部と１つの底面部を有したものである。
【００１２】
また、他の手段は、フィルターに、取手部を設けたものである。
【００１３】
また、他の手段は、フィルターの周囲に、シートを巻きつけたものである。
【００１４】
また、他の手段は、フィルターの周囲に、パッキンを貼り付けたものである。
【００１５】
また、他の手段は、取付部を、フィルターを誘導し固定するフィルターガイドを設けたものである。
【００１６】
また、他の手段は、取付部を、フィルターの周囲に沿った形状としたものである。
【００１７】
また、他の手段は、取付部を、フィルターが挿入する端面に傾斜部を設けたものである。
【００１８】
また、他の手段は、取付部の内面に、パッキンを貼り付けたものである。
【発明の効果】
【００１９】
本発明によれば、室内の空気を吸い込む室内吸込口と前記室内に空気を吹き出す室内吹出口と、屋外の空気を吸い込む屋外吸込口と前記屋外に排出する屋外吹出口とを側面に設けた箱状の機体に、前記機体の中央部内に排気用羽根と給気用羽根を電動機に装着し、前記排気用羽根の外側に排気用ファンケーシングと、前記給気用羽根の外側に給気用ファンケーシングとを設け、熱交換素子を前記排気用ファンケーシングおよび前記給気用ファンケーシングの外周部に複数個配置し、前記屋外吸込口から前記熱交換素子と前記給気用羽根を通じ前記室内吹出口に連通する給気風路と、前記室内吸込口から前記熱交換素子と前記排気用羽根を通じ前記屋外吹出口に連通する排気風路を設けた熱交換機器において、前記室内吸込口から前記熱交換素子の間において前記室内吸込口の直後にフィルターと前記フィルターを機体に取り付ける取付部を設けたことにより、１ヶ所のフィルターを掃除するだけで、複数個の熱交換素子の埃の付着とそれによる目づまりを防止することができ、かつ、埃が機体内に拡散する前に捕集することができるという効果のある熱交換機器および熱交換機器用フィルターを提供することができる。
【００２０】
また、フィルターを補強部と網目部とで構成したことにより、フィルターの変形を防止することができ、かつ、フィルターの形状を安定して確保することができるという効果のある熱交換機器および熱交換機器用フィルターを提供することができる。
【００２１】
また、フィルターの補強部を、弾性をもたせた材料としたことにより、挿入口が小さくても大きいフィルターを変形させて装着できるためフィルターの圧損を低減させることができ、かつ、フィルター着脱時の不意の衝撃に対しても強くなるという効果のある熱交換機器および熱交換機器用フィルターを提供することができる。
【００２２】
また、フィルターを、相対する２つの側面部とその間に１つの正面部と１つの底面部を有したことにより、通風面積が多く確保されるため、フィルターの圧損を低減させることができ、かつ、捕集した埃が機体内部に落下せずフィルターを取り外した際に埃が落ちてこないという効果のある熱交換機器および熱交換機器用フィルターを提供することができる。
【００２３】
また、フィルターに、取手部を設けたことにより、フィルターを取り外す際、取手部を持って容易にひっぱり出すことができるという効果のある熱交換機器および熱交換機器用フィルターを提供することができる。
【００２４】
また、フィルターの周囲に、シートを巻きつけたことにより、フィルター着脱時に、機体内部の取付部やその他の構造部に接触した際に、フィルターの補強部や網目部の破損を防ぐことができるという効果のある熱交換機器および熱交換機器用フィルターを提供することができる。
【００２５】
また、フィルターの周囲に、パッキンを貼り付けたことにより、フィルターと取付部の密閉性が向上し、室内の空気を確実にフィルター通過させることができるという効果のある熱交換機器および熱交換機器用フィルターを提供することができる。
【００２６】
また、取付部を、フィルターを誘導し固定するフィルターガイドを設けたことにより、確実に決まった位置に、フィルターを取り付けることができるという効果のある熱交換機器および熱交換機器用フィルターを提供することができる。
【００２７】
また、取付部を、フィルターの周囲に沿った形状としたことにより、フィルター装着時に、取付部がフィルターを正しい位置まで強制的に導くため、暗い天井裏でも確実にフィルターを取り付けることができるという効果のある熱交換機器および熱交換機器用フィルターを提供することができる。
【００２８】
また、取付部を、フィルターが挿入する端面に傾斜部を設けたことにより、フィルター挿入時に先に挿入したフィルター周囲の１つの辺が傾斜部に引っ掛かるため他の辺を挿入する際に外れにくくなり暗い天井裏でも確実にフィルターを取り付けることができ、かつ、フィルターが、室内の空気の風を受けても外れずに埃を捕集することができるという効果のある熱交換機器および熱交換機器用フィルターを提供することができる。
【００２９】
また、取付部の内面に、パッキンを貼り付けたことにより、フィルターと取付部との間の密閉性が向上し、室内の空気を確実にフィルター通過させることができるという効果のある熱交換機器および熱交換機器用フィルターを提供することができる。
【発明を実施するための最良の形態】
【００３０】
本発明の請求項１記載の熱交換機器および熱交換機器用フィルターは、室内の空気を吸い込む室内吸込口と前記室内に空気を吹き出す室内吹出口と、屋外の空気を吸い込む屋外吸込口と前記屋外に排出する屋外吹出口とを側面に設けた箱状の機体に、前記機体の中央部内に排気用羽根と給気用羽根を電動機に装着し、前記排気用羽根の外側に排気用ファンケーシングと、前記給気用羽根の外側に給気用ファンケーシングとを設け、熱交換素子を前記排気用ファンケーシングおよび前記給気用ファンケーシングの外周部に複数個配置し、前記屋外吸込口から前記熱交換素子と前記給気用羽根を通じ前記室内吹出口に連通する給気風路と、前記室内吸込口から前記熱交換素子と前記排気用羽根を通じ前記屋外吹出口に連通する排気風路を設けた熱交換機器において、前記室内吸込口から前記熱交換素子の間において前記室内吸込口の直後にフィルターと前記フィルターを機体に取り付ける取付部を設けたものであり、室内吸込口から吸い込んだ室内の空気の埃をフィルター通過時に除去し、埃を除去した後の空気を排気用羽根、熱交換素子を通して、屋外吹出口から屋外へ排出するという作用を有する。
【００３１】
また、フィルターを補強部と網目部とで構成したものであり、補強部の間に網目を形成するという作用を有する。
【００３２】
また、フィルターの補強部を、弾性をもたせた材料としたものであり、フィルターを取付部に取り付ける際、補強部に力を加え自在に変形させ取付部に取り付け、取り付け後力を除くと弾性力で補強部が元の形状に戻るという作用を有する。
【００３３】
また、フィルターを、相対する２つの側面部とその間に１つの正面部と１つの底面部を有したものであり、室内吸気口から吸い込まれた室内の空気が、２つの側面部とその間の１つの正面部と１つの底面部を通り、通過した際捕集した埃は、１つの底面部に溜まるという作用を有する。
【００３４】
また、フィルターに、取手部を設けたものであり、取手部をつまんで、フィルターを取り出すという作用を有する。
【００３５】
また、フィルターの周囲に、シートを巻きつけたものであり、シートにより、フィルターの周囲の破損、劣化を防ぐという作用を有する。
【００３６】
また、フィルターの周囲に、パッキンを貼り付けたものであり、フィルターを取付部に取り付けた際、パッキンがフィルターの周囲と取付部との間に挟まるという作用を有する。
【００３７】
また、取付部を、フィルターを誘導し固定するフィルターガイドを設けたものであり、フィルターを、取付部としてのフィルターガイドに沿って固定するという作用を有する。
【００３８】
また、取付部を、フィルターの周囲に沿った形状としたものであり、取付部が、フィルターの周囲に沿って位置するという作用を有する。
【００３９】
また、取付部を、フィルターが挿入する端面に傾斜部を設けたものであり、フィルターが、傾斜部に接するという作用を有する。
【００４０】
また、取付部の内面に、パッキンを貼り付けたものであり、フィルターを取付部に取り付けた際、パッキンがフィルターの周囲と取付部との間に挟まるという作用を有する。
【００４１】
以下、本発明の実施の形態について、図面を参照しながら説明する。
【００４２】
（実施の形態１）
図１〜図７に示すように、室内の空気１を吸い込む室内吸込口３と前記室内に空気を吹き出す室内吹出口４と、屋外の空気２を吸い込む屋外吸込口５と前記屋外に排出する屋外吹出口６とを側面に設けた箱状の機体７に、前記機体７の中央部内に排気用羽根８と給気用羽根９を電動機１０に装着し、前記排気用羽根８の外側に排気用ファンケーシング１１と、前記給気用羽根９の外側に給気用ファンケーシング１２とを設け、熱交換素子１３を前記排気用ファンケーシング１１および前記給気用ファンケーシング１２の外周部に複数個配置し、前記屋外吸込口５から前記熱交換素子１３と前記給気用羽根９を通じ前記室内吹出口４に連通する給気風路１４と、前記室内吸込口３から前記熱交換素子１３と前記排気用羽根８を通じ前記屋外吹出口６に連通する排気風路１５を設けた熱交換機器において、前記室内吸込口３から前記熱交換素子１３の間において前記室内吸込口３の直後にフィルター１６と前記フィルター１６を機体７に取り付ける取付部１７を設けた構成とする。
【００４３】
上記構成により、室内吸込口３から吸い込んだ室内の空気１の埃をフィルター１６通過時に除去し、埃を除去した後の空気を熱交換素子１３、排気用羽根８を通して、屋外吹出口６から屋外へ排出する。
【００４４】
また、フィルター１６は点検カバー１８と室内吸込口側の熱交換素子１９を外してから取り外す。
【００４５】
この構成によれば、１ヶ所のフィルター１６を掃除するだけで、複数個の熱交換素子１３の埃の付着とそれによる目づまりを防止することができ、かつ、埃が機体７内に拡散する前に捕集することができることとなる。
【００４６】
また、フィルター１６に、取手部２６を設けた構成とする。
【００４７】
上記構成により、取手部２６をつまんで、フィルター１６を取り出す。
【００４８】
この構成によれば、フィルター１６を取り外す際、取手部２６を持って容易にひっぱり出すことができることとなる。
【００４９】
また、取付部１７を、フィルター１６を誘導し固定するフィルターガイドを設けた構成とする。
【００５０】
上記構成により、フィルター１６を、取付部１７としてのフィルターガイドに沿って固定する。
【００５１】
この構成によれば、確実に決まった位置に、フィルター１６を取り付けることができることとなる。
【００５２】
また、フィルター１６を補強部２０と網目部２１とで構成する。
【００５３】
上記構成により、補強部２０の間に網目を形成する。
【００５４】
この構成によれば、フィルター１６の変形を防止することができ、かつ、フィルター１６の形状を安定して確保することができることとなる。
【００５５】
また、フィルター１６の補強部２０を、弾性をもたせた材料とした構成とする。
【００５６】
上記構成により、フィルター１６を取付部１７に取り付ける際、補強部２０に力を加え自在に変形させ取付部１７に取り付け、取り付け後、力を除くと弾性力で補強部２０が元の形状に戻る。
【００５７】
この構成によれば、挿入口２２が小さくても大きいフィルター１６を変形させて装着できるためフィルター１６の圧損を低減させることができ、かつ、フィルター１６着脱時の不意の衝撃に対しても強くなることとなる。
【００５８】
また、フィルター１６を、相対する２つの側面部２３とその間に１つの正面部２４と１つの底面部２５を有した構成とする。
【００５９】
上記構成により、室内吸気口３から吸い込まれた室内の空気１が、２つの側面部２３とその間の１つの正面部２４と１つの底面部２５を通り、通過した際に捕集した埃は、１つの底面部２５に溜まる。
【００６０】
この構成によれば、通風面積が多く確保されるため、フィルター１６の圧損を低減させることができ、かつ、捕集した埃が機体７内部に落下せずフィルター１６を取り外した際に埃が落ちてこないこととなる。
【００６１】
また、フィルター１６の周囲に、シート２７を巻きつけた構成とする。
【００６２】
上記構成により、シート２７により、フィルター１６の周囲の破損、劣化を防ぐ。
【００６３】
この構成によれば、フィルター１６着脱時に、機体７内部の取付部１７やその他の構造部に接触した際に、フィルター１６の補強部２０や網目部２１の破損を防ぐことができることとなる。
【００６４】
また、フィルター１６の周囲に、パッキン２８を貼り付けた構成とする。
【００６５】
上記構成により、フィルター１６を取付部１７に取り付けた際、パッキン２８がフィルター１６の周囲と取付部１７との間に挟まる。
【００６６】
この構成によれば、フィルター１６と取付部１７の密閉性が向上し、室内の空気を確実にフィルター１６通過させることができることとなる。
【００６７】
また、取付部１７を、フィルター１６の周囲に沿った形状とした構成とする。
【００６８】
上記構成により、取付部１７が、フィルター１６の周囲に沿って位置する。
【００６９】
この構成によれば、フィルター１６装着時に、取付部１７がフィルター１６を正しい位置まで強制的に導くため、暗い天井裏でも確実にフィルター１６を取り付けることができることとなる。
【００７０】
また、取付部１７の内面に、パッキン２８を貼り付けた構成とする。
【００７１】
上記構成により、フィルター１６を取付部１７に取り付けた際、パッキン２８がフィルター１６の周囲と取付部１７との間に挟まる。
【００７２】
この構成によれば、フィルター１６と取付部１７との間の密閉性が向上し、室内の空気を確実にフィルター１６通過させることができることとなる。
【００７３】
（実施の形態２）
図８に示すように、取付部１７を、フィルター１６が挿入する端面に傾斜部２９を設けた構成とする。
【００７４】
上記構成により、フィルター１６が、傾斜部２９に接する。
【００７５】
このように本発明の実施の形態１０の熱交換機器および熱交換機器用フィルターによれば、フィルター１６挿入時に先に挿入したフィルター１６周囲の１つの辺が傾斜部２９に引っ掛かるため他の辺を挿入する際に外れにくくなり暗い天井裏でも確実にフィルター１６を取り付けることができ、かつ、フィルター１６が、室内の空気１の風を受けても外れずに埃を捕集することができることとなる。
【産業上の利用可能性】
【００７６】
本発明の熱交換機器と熱交換機器用フィルターは、捕集した埃を容易に除去することができ、また、大きなフィルターを変形させて装着することで通風抵抗を小さくすることが可能なため、フィルターの設置スペースの少なく、通風抵抗を小さくする必要がある送風機器等に適用できる。
【図面の簡単な説明】
【００７７】
【図１】本発明の実施の形態１の熱交換機器および熱交換機器用フィルターの配置を示す側面構成図
【図２】同熱交換機器および熱交換機器用フィルターの配置を示す底面構成図
【図３】同熱交換機器および熱交換機器用フィルターの配置を示す側面構成図
【図４】同熱交換機器用フィルターの構成を示す斜視図
【図５】同熱交換機器用フィルターの補強部の構成を示す斜視図
【図６】同熱交換機器用フィルターのフィルターの構成を示す斜視図
【図７】同熱交換機器用フィルターの取付部形状とパッキンの密閉構造を示す側面構成図
【図８】本発明の実施の形態２の熱交換機器の取付部の傾斜部を示す側面構成図
【図９】従来の熱交換機器および熱交換機器用フィルターの配置を示す側面構成図
【図１０】同熱交換機器および熱交換機器用フィルターの配置を示す底面構成図
【符号の説明】
【００７８】
１    室内の空気
２    屋外の空気
３    室内吸込口
４    室内吹出口
５    屋外吸込口
６    屋外吹出口
７    機体
８    排気用羽根
９    給気用羽根
１０  電動機
１１  排気用ファンケーシング
１２  給気用ファンケーシング
１３  熱交換素子
１４  給気風路
１５  排気風路
１６  フィルター
１７  取付部
１８  点検カバー
１９  室内吸込口側の熱交換素子
２０  補強部
２１  網目部
２２  挿入口
２３  側面部
２４  正面部
２５  底面部
２６  取手部
２７  シート
２８  パッキン
２９  傾斜部
【図１】
2008249290.tif 000003
【図２】
2008249290.tif 000004
【図３】
2008249290.tif 000005
【図４】
2008249290.tif 000006
【図５】
2008249290.tif 000007
【図６】
2008249290.tif 000008
【図７】
2008249290.tif 000009
【図８】
2008249290.tif 000010
【図９】
2008249290.tif 000011
【図１０】
2008249290.tif 000012